(57)【要約】  支柱体（２）およびねじ部品（３）を含む、歯科用修復物（４）を歯科用インプラント（５）に連結するためのアバットメント装置（１）。支柱体（２）は拡張部（２３）を有し、ねじ部品（３）は拡大セクション（３３）を含む。通路（２１）は、支柱体（２）の拡張部（２３）を通って延びる。支柱体（２）の拡張部（２３）の外径（２３４’）は、横方向の力（Ｆ１）を加えることによって弾性的に増大可能である。支柱体（２）の通路（２１）は、拡張部（２３）において圧力受けセクション（２１５）を有する。ねじ部品（３）が支柱体（２）の通路（２１）内に位置するとき、ねじ部品（３）の拡大セクション（３３）は、支柱体（２）の通路（２１）の圧力受けセクション（２１５）に配置可能であり、これによって、横方向の力（Ｆ１）が支柱体（２）の拡張部（２３）に加えられ、支柱体（２）の拡張部（２３）の外径（２３４’）が増大する。【選択図】図７
2019529047.tif 000002
【特許請求の範囲】
【請求項１】
歯科用修復物（４）を歯科用インプラント（５）に連結するためのアバットメント装置（１）であって、支柱体（２）およびねじ部品（３）を含み、
前記支柱体（２）は、根尖側開口部（２１２）および咬合側開口部（２１１）を備えた軸方向の通路（２１）を有し、
前記支柱体（２）の前記通路（２１）は、頭部スロット（２１３）と、前記頭部スロット（２１３）を制限するプレスセクション（２１４）を装備し、
前記ねじ部品（３）は、頭部セクション（３１）と、前記頭部セクション（３１）から軸方向に離れたねじ山セクション（３２）とを備え、
前記ねじ部品（３）は、前記支柱体（２）の前記通路（２１）内に配置可能であり、これによって、
前記ねじ部品（３）の前記頭部セクション（３１）は、前記支柱体（２）の前記通路（２１）の前記プレスセクション（２１４）に当接する前記支柱体（２）の前記通路（２１）の前記頭部スロット（２１３）内に位置決めされ、
前記ねじ部品（３）は、前記支柱体（２）の前記通路（２１）の前記咬合側開口部（２１１）を通って前記支柱体（２）の外に延びる、アバットメント装置（１）において、
前記支柱体（２）は拡張部（２３）を有し、前記ねじ部品（３）は拡大セクション（３３）を含み、
前記通路（２１）は前記支柱体（２）の前記拡張部（２３）を通って延び、
前記支柱体（２）の前記拡張部（２３）の外径（２３４、２３４’）は、横方向の力（Ｆ１）を加えることによって弾性的に増大可能であり、
前記支柱体（２）の前記通路（２１）は、前記拡張部（２３）において圧力受けセクション（２１５）を有し、
前記ねじ部品（３）が前記支柱体（２）の前記通路（２１）内に位置するとき、前記ねじ部品（３）の前記拡大セクション（３３）は、前記支柱体（２）の前記通路（２１）の前記圧力受けセクション（２１５）に配置可能であり、これによって、前記横方向の力（Ｆ１）が前記支柱体（２）の前記拡張部（２３）に加えられ、前記支柱体（２）の前記拡張部（２３）の前記外径（２３４、２３４’）が増大することを特徴とする、アバットメント装置（１）。
【請求項２】
前記支柱体（２）の前記通路（２１）の前記圧力受けセクション（２１５）は、前記支柱体（２）の前記通路（２１）の前記プレスセクション（２１４）と別個であり、軸方向に離れている、請求項１に記載のアバットメント装置（１）。
【請求項３】
前記支柱体（２）の前記拡張部（２３）は可撓性薄板（２３２）を含む、請求項１または２に記載のアバットメント装置（１）。
【請求項４】
前記支柱体（２）の前記拡張部（２３）は、前記可撓性薄板（２３２）間に配置されたブラインドセクションを含む、請求項３に記載のアバットメント装置（１）。
【請求項５】
前記ねじ部品（３）の前記頭部セクション（３１）は、前記ねじ部品（３）が前記支柱体（２）の前記通路（２１）内に配置されているとき、前記支柱体（２）の前記通路（２１）の前記プレスセクション（２１４）に当接するプッシュ部分（３１１）を有する、請求項１から４のいずれか一項に記載のアバットメント装置（１）。
【請求項６】
前記ねじ部品（３）の前記頭部セクション（３１）の前記プッシュ部分（３１１）は、前記ねじ部品（３）の前記拡大セクション（３３）と別個であり、軸方向に離れている、請求項５に記載のアバットメント装置（１）。
【請求項７】
前記プッシュ部分（３１１）は、前記ねじ部品（３）の前記ねじ山セクション（３２）に向かって円錐形状に先細になっている、請求項５または６に記載のアバットメント装置（１）。
【請求項８】
前記支柱体（２）の前記通路（２１）の前記プレスセクション（２１４）は、前記ねじ部品（３）の前記頭部セクション（３１）の前記プッシュ部分（３１１）に対応して円錐形状である、請求項７に記載のアバットメント装置（１）。
【請求項９】
前記ねじ部品（３）の前記拡大セクション（３３）は円錐形状であり、前記ねじ部品（３）の前記ねじ山セクション（３２）に向かって先細になっている、請求項１から８のいずれか一項に記載のアバットメント装置（１）。
【請求項１０】
前記支柱体（２）の前記通路（２１）の前記圧力受けセクション（２１５）は、前記ねじ部品（３）の前記拡大セクション（３３）に対応して円錐形状である、請求項９に記載のアバットメント装置（１）。
【請求項１１】
前記支柱体（２）は、前記拡張部（２３）に隣接した基部（２２）を有し、
前記通路（２１）は、前記支柱体（２）の前記基部（２２）を通って延び、
前記支柱体（２）の前記基部（２２）は、前記支柱体（２）を前記歯科用インプラント（５）に効率的に連結するために調整された特性を有する第１の材料で作製され、
前記支柱体（２）の前記拡張部（２３）は、前記支柱体（２）を前記歯科用修復物（４）に効率的に連結するために調整された特性を有する第２の材料で作製される、請求項１から１０のいずれか一項に記載のアバットメント装置（１）。
【請求項１２】
前記支柱体（２）の前記基部（２２）の前記第１の材料はチタンであり、かつ／または前記支柱体（２）の前記拡張部（２３）の前記第２の材料は、ＰＥＥＫ、ＰＭＭＡ、ポリカーボネート、ナイロン、シリコーンもしくはこれらの組み合わせである、請求項１１に記載のアバットメント装置（１）。
【請求項１３】
前記基部（２２）は第１の連結構造（２２４）を有し、前記拡張部（２３）は第２の連結構造（２３３）を有し、前記支柱体（２）は、前記基部（２２）の前記第１の連結構造（２２４）が前記拡張部（２３）の前記第２の連結構造（２３３）に係合することによって組み立てられる、請求項１１または１２に記載のアバットメント装置（１）。
【請求項１４】
前記基部（２２）の前記第１の連結構造（２２４）は、第１のスナップ留めフォーメーション（２２４）であり、前記拡張部（２３）の前記第２の連結構造（２３３）は、前記基部（２２）の前記第１のスナップ留めフォーメーション（２２４）に対応する第２のスナップ留めフォーメーション（２３３）である、請求項１３に記載のアバットメント装置（１）。
【請求項１５】
前記支柱体（２）は、前記支柱体（２）上に配置されたときに前記歯科用修復物（４）を解放可能に保持するような寸法の突起要素（２３３１）を含む、請求項１から１４に記載のアバットメント装置（１）。
【請求項１６】
前記突起要素（２３３１）は、前記支柱体（２）の前記拡張部（２３）に形成される、請求項１１から１４のいずれか一項および請求項１５に記載のアバットメント装置（１）。
【請求項１７】
請求項１から１６のいずれか一項に記載のアバットメント装置（１）と、前記アバットメント装置（１）の前記支柱体（２）を受けるための空洞（４１）を有する歯科用修復物（４）とを含む歯科用修復物（４）アセンブリであって、前記歯科用修復物（４）の前記空洞（４１）は、前記歯科用修復物（４）が前記アバットメント装置（１）の前記支柱体（２）に固定して連結されるように、前記アバットメント装置（１）の前記ねじ部品（３）が前記支柱体（２）の前記拡張部（２３）の前記外径（２３４、２３４’）を増大させることを可能にするように形成される、歯科用修復物（４）アセンブリ。
【請求項１８】
前記歯科用修復物（４）の前記空洞（４１）は、前記支柱体（２）の前記拡張部（２３）が中に拡張可能な凹型印象（４１１）を有し、前記凹型印象（４１１）は、前記支柱体（２）の前記拡張部（２３）の前記外径（２３４、２３４’）が前記アバットメント装置（１）の前記ねじ部品（３）によって増大するときに前記アバットメント装置（１）の前記支柱体（２）に対して前記歯科用修復物（４）が動くことを阻止する、請求項１７に記載の歯科用修復物（４）アセンブリ。
【請求項１９】
歯科用修復物（４）を歯科用インプラント（５）に連結する方法であって、
請求項１から１６のいずれか一項に記載のアバットメント装置（１）を得ることと、
前記アバットメント装置（１）の前記ねじ部品（３）が前記支柱体（２）の前記拡張部（２３）の前記外径（２３４、２３４’）を増大させることを可能にするように形成された空洞（４１）を前記歯科用修復物（４）に設けることと、
前記アバットメント装置（１）の前記支柱体（２）を前記歯科用修復物（４）の前記空洞（４１）内に組み付けることと、
前記支柱体（２）を前記歯科用インプラント（５）上にセットすることと、
前記歯科用修復物（４）の前記空洞（４１）および前記アバットメント装置（１）の前記支柱体（２）の前記通路（２１）を通して前記アバットメント装置（１）の前記ねじ部品（３）を設けることと、
前記ねじ部品（３）を前記歯科用インプラント（５）に固定することであって、これによって、
前記アバットメント装置（１）の前記ねじ部品（３）の前記頭部セクション（３１）が前記アバットメント装置（１）の前記支柱体（２）の前記通路（２１）の前記プレスセクション（２１４）に当接し、これによって前記アバットメント装置（１）の前記支柱体（２）が前記歯科用インプラント（５）に対し押され、
前記アバットメント装置（１）の前記ねじ部品（３）の前記拡大セクション（３３）が、前記アバットメント装置（１）の前記支柱体（２）の前記拡張部（２３）上に横方向の力（Ｆ１）を与え、これによって前記アバットメント装置（１）の前記支柱体（２）の前記拡張部（２３）の前記外径（２３４、２３４’）が増大し、前記歯科用修復物（４）が、前記アバットメント装置（１）の前記支柱体（２）に固定して連結されることと、
前記歯科用修復物（４）の前記空洞（４１）の咬合側孔部を閉じることと、
を含む、方法。
【発明の詳細な説明】
【技術分野】
【０００１】
本発明は、独立請求項１のプリアンブルに記載のアバットメント装置に関し、より詳細には、そのようなアバットメント装置を有する歯科用修復物アセンブリ、および歯科用修復物を歯科用インプラントに連結する方法に関する。
【背景技術】
【０００２】
歯科用修復では、多くの場合、損傷した歯または欠損した歯は、ブリッジ、クラウン等の歯科用修復物を含む人工歯に置き換えられる。これによって、歯科用修復物が、元の歯の残りの部分、または顎骨内に人工歯根としてセットされたインプラントの上に配置される。既知の修復物は、通常、生体適合性、ロバスト性、寿命等の特定の要件を満たす材料から作製される。例えば、口腔の露出されない区画では、例えば、金またはジルコニウムで作製された金属の歯科用修復物が多くの場合に用いられる。口腔の見える区画では、通例、光学的に自然な歯の外観により合った他の材料が好ましい。例えば、セラミック材料、複合材料、繊維強化複合材料、またはアクリルガラス（ポリメチルメタクリレート、すなわちＰＭＭＡ）が一般的に用いられる。
【０００３】
上述したように、クラウンの材料は、通常、美的要件、機械的条件等の、歯として用いられるための要件を考慮して選択される。しかしながら、通常チタンから作製されるインプラント上または元の歯の残りの部分上に直接置くには、これらの材料は多くの場合に適していない。したがって、通例、歯科用修復物とインプラントまたは元の歯の残りの部分との間に中間構造が設けられる。普及した中間構造は、クラウンまたは修復物に接合された基部またはアバットメントである。例えば、チタンインプラントに連結するために、多くの場合、クラウンがチタン基部に接合および／または結合され、これが次にインプラント上に置かれ、インプラントに連結される。
【０００４】
通常、修復物は、歯科技工士または歯科医によって口の外または中で基部またはアバットメント上に接合される。これによって、特定の接着剤が接合剤として用いられ、多くの接合剤は、塗布される前に複数の成分と混合される。接合された基部および修復物は、次に、口腔内でインプラントまたは元の歯の残りの部分に連結され、基部がインプラントまたは元の歯の残りの部分と接触する。多くの場合に、歯科用修復物は、基部とともに、歯科用修復物および基部を通ってインプラント内に軸方向に突き出すねじによってインプラントに固定される。
【０００５】
歯科用修復物を基部に接合するために、多くの場合、モデルが用いられる。その目的で、歯科用修復物を取り付けるためにインプラントがセットされる口腔の少なくとも一部分が、歯科技工士または歯科医によって、知られているモデル化技法を用いてモデル化される。しかしながら、そのようなモデルベースの接合が、修復物を基部に正確に接合し、高度な接合された修復物−基部構造を提供することを可能にするにもかかわらず、これは比較的厄介である。
【０００６】
接合工程を高速かつ安価にするために、多くの歯科技工士または歯科医は、歯科用修復物を手作業で基部に接合する。これによって、多くの場合、通常、中空の内部を有する基部のねじ穴が、ワックスまたは弾性プラグによって閉じられ、接合剤が基部の内側に入ることができないようにされる。弾性プラグは通常、安全に閉じることを可能にするために、基部の形状に適合される。しかしながら、歯科用修復物、および特に基部が、通例、比較的小さいことを考えると、そのような手作業の接合により、多くの場合、結果として品質が低下することになる。例えば、多くの場合、接合剤はクラウンと基部との間で規則的または均一に分布しておらず、これによって連結が一貫して強力ではない。また、多くの場合、クラウンは、手作業で正確に位置決めまたは方向付けすることができず、これによって結果として快適性および使用性が低下する場合がある。更に、過剰に使用された接合剤が修復物−基部構造を抜け出す場合があり、これは歯肉炎等につながる可能性がある。
【０００７】
したがって、歯科用修復物を歯科用インプラントに正確に、安全に、かつコスト効率よく連結することを可能にするシステムが必要とされている。
【発明の概要】
【０００８】
本発明によれば、この需要は、独立請求項１の特徴部によって規定されるアバットメント装置、独立請求項１７の特徴部によって規定される歯科用修復物アセンブリ、および独立請求項１９の特徴部によって規定される方法によって解決される。好ましい実施形態は、従属請求項の主題である。
【０００９】
１つの態様において、本発明は、歯科用修復物を歯科用インプラントに連結するためのアバットメント装置に関する。この装置は、支柱体およびねじ部品を含む。支柱体は、根尖側開口部および咬合側開口部を備えた軸方向の通路を有する。支柱体の通路は、頭部スロットと、頭部スロットを制限するプレスセクションを装備する。有利には、通路は、直線状であるか、または根尖側開口部から咬合側開口部に延びる直線状の軸を有する。ねじ部品は、頭部セクションと、頭部セクションから軸方向に離れたねじ山セクションとを備える。これに関連して、「軸方向に離れた」という用語は、２つのセクションがねじ部品の長手方向延長部に沿って互いからオフセットされていることに関することができる。特に、ねじ部品は、有利には長手方向に延び、軸を有し、この軸に沿って２つのセクションが互いにオフセットされる。
【００１０】
ねじ部品は支柱体の通路内に配置可能であり、これによって、ねじ部品の頭部セクションは、支柱体の通路のプレスセクションに当接する支柱体の通路の頭部スロット内に位置決めされ、ねじ部品は、支柱体の通路の咬合側孔部を通って支柱体の外に延びる。これによって、有利には、頭部セクションおよび頭部スロットは、頭部セクションが頭部スロット内に収まるような嵌合形状にされる。
【００１１】
支柱体は拡張部を有し、ねじ部品は拡大セクションを含み、通路は支柱体の拡張部を通って延びる。支柱体の拡張部の外径は、横方向の力を加えることによって弾性的に増大可能である。これに関連して、「弾性的」という用語は、横方向の力がもはや加えられなくなると拡張部が初期状態に戻ることを可能にする装置に関することができる。これによって、拡張部は、例えば、固有の材料特性に起因して単独で初期状態に戻ることができるか、または別の部品によって能動的に動かすことができる。支柱体の通路は、拡張部において圧力受けセクションを有する。ねじ部品が支柱体の通路内に位置するとき、ねじ部品の拡大セクションは、支柱体の通路の圧力受けセクションに配置可能であり、これによって、横方向の力が支柱体の拡張部に加えられ、支柱体の拡張部の外径が増大する。
【００１２】
「歯科用修復物」という用語は、本明細書において用いられるとき、通常、１つの人工歯または複数の人工歯の最も外側の構造である、歯科補綴物に関することができる。これは特に、クラウンまたはブリッジ等とすることができる。歯科用修復物は、歯科用インプラントに蓋をするかまたは歯科用インプラントを取り囲むことができ、１つまたは複数の人工歯の見える部分および咀嚼面を形成する。有利には、歯科用修復物は、この修復物によって置き換えられることになる１つまたは複数の歯の形状を有する。通常、クラウン等の修復物は、金属、金属セラミック、セラミック、ジルコニウム、二酸化ジルコニウム、ポリメチルメタクリレート（ＰＭＭＡ）、複合材料、繊維強化複合材料、または自然な歯に類似した色および特性を有する別の材料から作製される。
【００１３】
「歯科用インプラント」という用語は、本明細書において用いられるとき、歯科用修復物を支持するために顎の骨または頭蓋骨とつながる外科的構成要素に関することができる。歯科用インプラントは、歯科矯正用アンカーまたは人工歯根として機能することができる。歯科用インプラントは、当該技術分野において、骨内インプラントまたは固定具としても知られている。通常、歯科用インプラントは、骨構造内の穴の中に置かれ、ここでオッセオインテグレーションと呼ばれる生物学的工程によって固定されるかまたは成長する。これによって、歯科用インプラント、またはより詳細には、チタン等のその材料が、骨に対し密な結合を形成する。オッセオインテグレーションの場合、歯科用修復物が直接またはアバットメントを介して取り付けられる前に、可変量の回復時間が必要とされる。
【００１４】
「アバットメント」または「基部」という用語は、本明細書において用いられるとき、歯科用インプラントに装着するために歯科用修復物に一体化されることになる部分構造または中間構造に関することができる。アバットメントまたは基部は、修復物に位置合わせし、修復物を保持するように適合することができる。アバットメントまたは基部は、特に、円筒形状または円錐形状のセクションと、インプラント面セクションとを有するカップのような形状とすることができる。
【００１５】
「軸方向」という用語は、本明細書において用いられるとき、アバットメント装置またはアバットメント装置の他の部品の軸に関することができる。これによって、ねじ部品が意図されるように支柱体内に配置されているとき、ねじ部品の軸は、支柱体の軸と同一にすることができる。この軸は、特に、交換または固定される歯の軸に本質的に対応することができる。このため、口腔内に適用されるとき、軸方向の通路は、修復物の咬合面から歯科用インプラントに延びることができる。
【００１６】
「咬合」という用語は、本明細書において用いられるとき、意図される用途における人工歯の咬面に本質的に向かう方向に関することができる。これによって、人工歯は、特に、修復物、アバットメント装置の支柱体、および歯科用インプラントを含むことができる。これに対応して、「根尖」という用語は、交換または固定されることを意図された歯の根に向かう方向に関することができる。咬合方向および根尖方向は反対であり得る。
【００１７】
「横方向」という用語は、本明細書において用いられるとき、咬合方向または軸方向に対し本質的に垂直な方向に関することができる。支柱体が軸の回りで本質的に円対称である構成において、横方向は径方向に対応することができる。
【００１８】
「横方向の力」という用語は、本明細書において用いられるとき、アバットメント装置の横方向、外方向、または径方向に作用する力に関することができる。これは、他の部分も有する力の横方向部分とすることができる。例えば、「横方向の力」は、横断方向に加わる、軸方向部分および横方向部分を有する力の横方向部分とすることができる。この力は、支柱体の特定のセクションを押すことによって、例えば、通路を画定する内壁のセクション、すなわち支柱体の圧力受けセクションを押すことによって、支柱体の拡張部分に適用されるかまたは適用可能とすることができる。通路の圧力受けセクションは、特に、横方向の力、または径方向成分を有する力を受けるように配置することができる。横方向の力は、例えば、支柱体の別のセクションに力を直接加え、そこから力が拡張部に伝達することにより、拡張部に間接的に加えることもできる。
【００１９】
「外径」という用語は、支柱体の拡張部との関連で用いられるとき、支柱体の軸方向に対し垂直な面の任意の線における拡張部の外側境界に関することができる。外径が増大することにより、または換言すれば、支柱体の軸に対し垂直な断面が増大することにより、拡張部が拡張する。拡張部は、拡張可能でない、すなわち、外径を増大させることができないセクションも有することができる。特に、そのような拡張可能でないセクションは、拡張可能なセクションから軸方向にオフセットすることができる。本発明の意味において、拡張可能であるとは、拡張部の外径が拡張部の１つの単一セクションにおいて増大することができれば十分である。しかしながら、外径の拡張は、支柱体と歯科用修復物との間の連結を確立するのに適切でなくてはならない。例えば、十分な力が加えられた場合に全ての材料内に与えられる小さな拡張は、歯科用修復物を支柱体に連結するのに適切でない限り、本発明の意味において拡張として適格でない。
【００２０】
支柱体の拡張部は、支柱体の咬合側端部を形成することができる。これによって、支柱体の通路の咬合側開口部が拡張部内に位置することができる。
【００２１】
本発明によるアバットメント装置の使用において、ねじ部品は、インプラント内にねじ留めされたとき、複数の効果または機能を有することができる。一方で、支柱体の通路のプレスセクションに当接することによって、ねじ部品は、支柱体を歯科用インプラント上に押すことができる。このようにして、支柱体は、インプラントに堅く固定することができる。他方で、ねじ部品の拡大セクションが支柱体の通路の圧力受けセクションに配置され、これにより支柱体の拡張部に横方向の力が加わることにより、ねじ部品は支柱体を拡張部において拡張させる。特に、拡張部は、歯科用修復物内に設けられた対応する凹部または空洞内に拡張することができる。これによって、歯科用修復物は、支柱体に堅く連結することができる。
【００２２】
本発明によるアバットメント装置は、支柱体をインプラントに固定することを可能にし、ねじ部品をインプラント内に単にねじ留めすることによって歯科用修復物をそこに連結することを可能にする。これによって、接合は不要である。これにより、修復工程を本質的により高速かつより効率的にすることが可能である。また、接合剤を伴わないため、歯科用修復物が固定された後、接合剤により生じる炎症は発生し得ない。このため、アバットメント装置は、完全に接合剤なしで歯科用修復物を顎に連結することを可能にする。
【００２３】
更に、拡張部の外径が弾性的に増大可能であることにより、本発明によるアバットメント装置は、歯科用修復物の可逆的装着を可能にする。特に、ねじ部品をインプラントから単に外すことによって、拡張部の弾性に起因して、拡張部の外径は、歯科用修復物を解放し支柱体から取り外すことができるように自動的に再び縮小する。これによって、例えば、歯科用修復物を試しに使用し、所望の場合に交換するかまたは更に適合させることができるように、歯科用修復物の効率的な交換が可能になる。
【００２４】
このため、本発明によるアバットメント装置は、歯科用修復物を歯科用インプラントに正確に、安全に、かつコスト効率よく連結することを可能にする。
【００２５】
有利には、ねじ部品は、拡張部の拡張が開始する前に支柱体が少なくともわずかにインプラントに対し押されるような形状にされる。これにより、歯科用修復物を支柱体に最終的に連結する前に、支柱体を標的位置に保持することが可能になる。これによって、歯科用修復物は、支柱体がすでに最終位置にあるときに、正確な方式で最終的に位置決めすることができる。
【００２６】
（ｉ）支柱体を歯科用インプラントに堅く固定し、（ｉｉ）支柱体を歯科用修復物に堅く連結する、２つの機能を有利に分離するために、支柱体の通路の圧力受けセクションは、好ましくは支柱体の通路のプレスセクションと別個であり、軸方向に離れている。特に、圧力受けセクションは、プレスセクションから咬合方向に離すことができる。このため、プレスセクションは、支柱体の根尖側端部の近くまたは更には根尖側端部に配置することができ、圧力受けセクションは、支柱体の咬合側端部の近くまたは更には咬合側端部に配置することができる。
【００２７】
支柱体のそのような構成に対応して、ねじ部品の頭部セクションは、ねじ部品が支柱体の通路内に配置されているとき、支柱体の通路のプレスセクションに当接するプッシュ部分を有することができる。ねじ部品の頭部セクションのプッシュ部分は、好ましくはねじ部品の拡大セクションと別個であり、軸方向に離れている。
【００２８】
これによって、ねじ部品の頭部セクションの円錐形状のプッシュ部分は、好ましくは、ねじ部品のねじ山セクションに向かって円錐形状に先細になっている。そのような円錐形状のプッシュ部分によって、ねじ部品が意図されるようにインプラントにねじ留めされているとき、頭部セクションは、歯科用インプラントに向かって圧力を効率的に加えることが可能になる。これによって、支柱体の通路のプレスセクションは、好ましくは、ねじ部品の頭部セクションのプッシュ部分に対応して円錐形状である。プレスセクションは、ねじ部品が通路を通って延び、インプラント内にねじ留めされるとき、支柱体が歯科用インプラントに更に固定されるように、プッシュ部分からの圧力を効率的に受けることを可能にする。特に、主に、プッシュ部分からプレスセクションに作用する圧力の軸方向部分は、支柱体がインプラントに堅く固定されるように支柱体をインプラント上に押す。
【００２９】
好ましくは、支柱体の拡張部は可撓性薄板を含む。これに関連して、「可撓性」という用語は、曲げ可能、移動可能、または変形可能である薄板に関することができる。薄板は、特に、本質的に軸方向に延びることができる。拡張部は、薄板がそこからほぼ軸方向に延びる、例えばリングセクション等の、固定の直径を有するセクションを有することができる。そのような可撓性薄板は、例えば、薄板の内側に作用する横方向の力によって、外方向、横方向または径方向に効率的に曲げることができる。薄板には、外面または外側面において、歯科用修復物の対応する空洞または凹部内に効率的に係合することを可能にする凸状の隆起を設けることができる。これによって、支柱体は、その拡張部が拡張しているとき、歯科用修復物に堅く連結することができる。
【００３０】
支柱体の拡張部は、好ましくは、可撓性薄板間に配置されたブラインドセクションを含む。薄板間にブラインドセクションを有することによって、拡張部は、完全な円周の周りに延びることができる。特に、ブラインドセクションは、薄板の任意の状態において、例えば薄板が外方に変位しているかまたは曲がっているときにも、完全な円周をカバーすることを可能にする。これによって、支柱体の内部、使用時は特にねじ部品に光が通り得ることを阻止することを可能にする。
【００３１】
好ましくは、ねじ部品の拡大セクションは円錐形状であり、ねじ部品のねじ山セクションに向かって先細になっている。そのような円錐形状の拡大セクションにより、ねじ部品が意図されるようにインプラント内にねじ留めされているとき、ねじ部品が拡張部に向けて横方向の力を効率的に加えることが可能になる。このようにして、拡張部の外径は効率的に拡張することができ、これにより歯科用修復物が支柱体に固定される。これによって、支柱体の通路の圧力受けセクションは、好ましくは、ねじ部品の拡大セクションに対応して円錐形状である。そのような圧力受けセクションは、拡張部分の外径を効率的に増大させることができるように、拡大セクションから横方向の力を効率的に受けることを可能にする。特に、主に、拡大セクションから圧力受けセクションに作用する力の横方向部分または径方向部分は、拡張部の外径または断面が増大するように拡張部を外方に押す。
【００３２】
１つの好ましい実施形態では、支柱体は、１つの単一材料から作製することができる単一ピースのデバイスである。
【００３３】
別の好ましい実施形態では、支柱体は、拡張部に隣接した基部を有し、通路は、支柱体の基部を通って延び、支柱体の基部は、支柱体を歯科用インプラントに効率的に連結するために調整された特性を有する第１の材料で作製され、支柱体の拡張部は、支柱体を歯科用修復物に効率的に連結するために調整された特性を有する第２の材料で作製される。特に、第１の材料および第２の材料は異なる材料である。支柱体の拡張部と基部とで異なる材料を準備することにより、双方の部品が適切な特異性を有することができることを達成することができる。例えば、拡張部では、材料が横方向に効率的に曲がるかまたは変位されることを可能にする材料が必須である。そのような可撓性は基部では不利である場合がある。このため、別の材料の基部を準備することによって、基部は、例えば、剛性または歯科用インプラントの材料と類似の特性等の適切な特性を有する。具体的には、基部は、歯科用インプラントと同じ材料で作製することができる。このため、支柱体の２つの材料組成により、支柱体は、例えば、インプラント上の安全な固定、および外径の可撓性拡大であり得る、その様々な機能を効率的にかつ特異的に行うことが可能になる。
【００３４】
これによって、支柱体の基部の第１の材料は、好ましくはチタンであり、かつ／または支柱体の拡張部の第２の材料は、好ましくはＰＥＥＫ、ＰＭＭＡ、ポリカーボネート、ナイロン、シリコーンもしくはこれらの組み合わせである。頭文字ＰＥＥＫは、工学用途で頻繁に用いられるポリアリールエーテルケトン（ＰＡＥＫ）類の有機熱可塑性ポリマーであるポリエーテルエーテルケトンに関する。とりわけ、ＰＥＥＫは同等の良好な生体適合性を有し、歯に類似の白色を有することができ、同等に剛性であり、依然として良好な弾性変形を可能にする同等に高い可撓性を有する。頭文字ＰＭＭＡは、アクリルまたはアクリルガラスとしても知られる、ポリ（メチルメタクリレート）に関する。チタンは、良好な生体適合性、効率的なオッセオインテグレーション等のような様々な理由で歯科用インプラントにおいて広く用いられている。したがって、チタン製の基部を設けることによって、基部はインプラント上に堅く嵌合して固定することができる。美的理由により、基部は、より目立たないようにするために、例えば、白色または白に似た色に着色することができる。
【００３５】
好ましくは、基部は第１の連結構造を有し、拡張部は第２の連結構造を有し、支柱体は、基部の第１の連結構造が拡張部の第２の連結構造に係合することによって組み立てられる。そのような第１の連結構造および第２の連結構造は、２つの材料の支柱体を効率的に準備することを可能にする。これによって、基部の第１の連結構造は、好ましくは、第１のスナップ留めフォーメーション（ｓｎａｐ−ｉｎ  ｆｏｒｍａｔｉｏｎ）であり、拡張部の第２の連結構造は、好ましくは、基部の第１のスナップ留めフォーメーションに対応する第２のスナップ留めフォーメーションである。そのような第１のスナップ留めフォーメーションおよび第２のスナップ留めフォーメーションは、基部および拡張部を共にスナップ留めすることを可能にする。このようにして、２つの異なる材料で作製された支柱体の効率的な組み立てを達成することができる。
【００３６】
好ましくは、支柱体は、支柱体上に配置されているときに歯科用修復物を解放可能に保持するような寸法の突起要素を含む。そのような突起要素を用いて、歯科用修復物を、支柱体上に中間で保持することができる。このようにして、好都合で効率的な取り扱いを達成することができる。特に、クラウン等の歯科用修復物を歯科用インプラントに装着するとき、歯科用インプラントは、ねじ部品を歯科用インプラントにねじ留めする前に支柱体を正しい位置に好都合に位置決めすることができるように、支柱体をインプラントに固定する前に、支柱体の突き出した要素を介して摩擦により支柱体を保持することができる。
【００３７】
これによって、突起要素は、好ましくは、支柱体の拡張部に形成される。そのような突起要素は、拡張部または薄板と同じ材料で具現化することができる。このため、突起要素は、歯科用修復物が摩擦により支柱体上に保持されるように内側から歯科用修復物をわずかに締め付けることを可能にする弾性を有することができる。
【００３８】
支柱体と歯科用修復物との間の安定した安全な中間連結を達成するために、支柱体には、有利には支柱体上で規則的に位置決めされた複数のそれぞれの突起を装備することができる。
【００３９】
アバットメント装置の支柱体には、フランジ部分を装備することができる。特に、そのようなフランジ部分は、支柱体の咬合側端部の付近に位置することができる。このようにして、歯科用インプラントのそれぞれの咬合面と接触するように増大した表面を設けることができる。これにより、噛む力または咀嚼する力等の力を大きなエリアにわたって分散させることが可能になり、これによって、支柱体およびインプラントが連結される場所での支柱体およびインプラントの摩耗を低減し、システムの安定性を増大させることができる。
【００４０】
本発明の更なる態様は、上記で説明したアバットメント装置と、アバットメント装置の支柱体を受けるための空洞を有する歯科用修復物とを含む歯科用修復物アセンブリに関する。これによって、歯科用修復物の空洞は、歯科用修復物がアバットメント装置の支柱体に固定して連結されるように、アバットメント装置のねじ部品が支柱体の拡張部の外径を増大させることを可能にするように形成される。
【００４１】
空洞は、特に、歯科用修復物が支柱体上に配置されている間にねじ部品が支柱体内に提供されることを可能にする貫通穴とすることができる。特に、貫通穴は、歯科用修復物が意図されるように支柱体上に配置されているとき、アバットメント装置の軸と同一の軸を有することができる。高度な方式では、歯科用修復物は、ＣＡＤ／ＣＡＭ工程において製造することができる。代替的に、歯科用修復物は、加圧工程、成形工程またはこれらの組み合わせで製造されてもよい。
【００４２】
そのような歯科用修復物アセンブリでは、本発明および本発明の実施形態によるアバットメント装置との関連で上記で説明した効果および利点を効率的に達成することができる。
【００４３】
好ましくは、歯科用修復物アセンブリの歯科用修復物の空洞は、支柱体の拡張部が中に拡張可能な凹型印象を有し、凹型印象は、支柱体の拡張部がアバットメント装置のねじ部品によって拡張するときにアバットメント装置の支柱体に対して歯科用修復物が動くことを阻止する。印象は、空洞の軸方向の断面の隆起として具現化することができる。印象は、支柱体の完全な円周の周りに、または薄板等の拡張部の拡張可能なセクションが位置する円周のセクションにおいてのみ延びることができる。そのような凹型印象は、支柱体と歯科用修復物との間の安全な連結を提供することを可能にする。
【００４４】
本発明の更なる態様は、歯科用修復物を歯科用インプラントに連結する方法に関する。この方法は、上記で説明したアバットメント装置を得ることと、アバットメント装置のねじ部品が支柱体の拡張部の外径を増大させることを可能にするように形成された空洞を歯科用修復物に設けることと、アバットメント装置の支柱体を歯科用修復物の空洞内に組み付けることと、支柱体を歯科用インプラント上にセットすることと、歯科用修復物の空洞およびアバットメント装置の支柱体の通路を通してアバットメント装置のねじ部品を設けることと、ねじ部品を歯科用インプラントに固定することであって、これによって、アバットメント装置のねじ部品の頭部セクションがアバットメント装置の支柱体の通路のプレスセクションに当接し、これによってアバットメント装置の支柱体が歯科用インプラントに対し押され、アバットメント装置のねじ部品の拡張セクションが、アバットメント装置の支柱体の拡張部上に横方向の力を与え、これによってアバットメント装置の支柱体の拡張部の外径が増大し、歯科用修復物が、アバットメント装置の支柱体に固定して連結されることと、歯科用修復物の空洞の咬合側孔部を閉じることと、を含む。
【００４５】
これによって、通路は、歯科用修復物がインプラントに装着されたときに適切な表面を有するために、特殊な手段によって閉鎖可能とすることができる。例えば、修復物がインプラントに装着された後、適切なプラグを通路内に押し込むことができる。
【００４６】
そのような方法は、接合剤を用いることを一切必要とすることなく、歯科用修復物を歯科用インプラントに効率的に連結することを可能にする。特に、この方法は、アバットメント装置およびアバットメント装置の実施形態に関して上記で説明した効果および利点を効率的に達成することを可能にする。
【００４７】
本発明によるアバットメント装置、歯科用修復物アセンブリおよび方法が、以下で例示的な実施形態として、添付の図面を参照してより詳細に説明される。
【図面の簡単な説明】
【００４８】
【図１】本発明によるアバットメント装置の実施形態の支柱体の斜視図を示す。
【図２】図１に示されるアバットメント装置の断面図を示す。
【図３】図１に示される支柱体のアバットメント装置を含む、本発明による歯科用修復物アセンブリの実施形態の断面図を示す。
【図４】支柱体上でクラウンがシフトされている間の図３の歯科用修復物アセンブリの断面図を示す。
【図５】クラウンが支柱体上にセットされているときの図３の歯科用修復物アセンブリの断面図を示す。
【図６】ねじ部品がクラウンおよび支柱体に入っていく間の図３の歯科用修復物アセンブリの断面図を示す。
【図７】インプラントに固定されているときの図３の歯科用修復物アセンブリの断面図を示す。
【発明を実施するための形態】
【００４９】
以下の説明において、便宜上いくつかの用語を用いているが、これらは本発明を限定することを意図するものではない。「右」、「左」、「上」、「下」、「〜の下」および「〜の上方」という用語は、図面における方向を示す。専門用語は、明示的に述べた語、ならびにこれらの派生語および同様の意味の語を含む。また、「〜の下方」、「〜の下」、「下側」、「〜の上方」、「上側」、「近位」、「遠位」のような空間的相対語は、図面に示されるような、ある要素または特徴と別の要素または特徴との関係を説明するため使用される場合がある。これらの空間的相対語は、図に示す位置および向きに加えて、使用時または動作時のデバイスの異なる位置および向きを包含することが意図される。例えば、図におけるデバイスが反転される場合、他の要素または特徴の「下」または「下方」として記載された要素は、これらの他の要素または特徴の「上方」または「上」にあることになる。このため、例示的な用語「〜の下」は、上下双方の位置および向きを包含することができる。デバイスは、他の向きに向けられる（９０°または他の向きに回転される）場合があり、本明細書において用いられる空間的相対語はこれに応じて解釈される。同様に、様々な軸に沿った、および様々な軸の周りの運動の記述は、様々な特殊なデバイスの位置および向きを含む。
【００５０】
様々な態様および例示的な実施形態の図および説明の繰り返しを回避するために、多くの特徴は、多くの態様および実施形態に共通であることが理解されるべきである。説明または図からある態様を省くことは、この態様がその態様を組み込んだ実施形態から欠落していることを暗に意味するものではない。そうではなく、その態様は明確性のために、冗長な説明を回避するために省かれた場合がある。これとの関連において、以下のことが本明細書の残りの部分に適用される。図面を明確にするために、図面が明細書の直接関連した部分において説明されていない参照符号を含む場合、この参照符号は、前のまたは後の説明セクションにおいて参照される。更に、明快性の理由から、図面において、部品の全ての特徴に参照符号が与えられていない場合、これは同じ部品を示す他の図面において参照される。２つ以上の図面における類似の番号は、同じまたは同様の要素を表す。
【００５１】
図１は、本発明によるアバットメント装置１の実施形態の支柱体２を示す。支柱体２は、２つのピース、すなわち、上側拡張部２３および下側基部２２からなる。支柱体２は、咬合側開口部２１１および根尖側開口部２１２を備えた中央通路２１を更に有する。通路２１は、拡張部２３および基部２２を通って軸方向に延びる。拡張部２３はリング部分２３１を含み、このリング部分２３１から、４つの薄板２３２が軸方向に上方に延びる。薄板２３２は、リング部分２３１の円周の回りに規則的に分散される。各薄板２３２は、外方にまたは径方向に延びる隆起２３２１と、切り欠き２３２２とを含む。切り欠き２３２２は、薄板２３２の下端に位置する。切り欠き２３２２において薄板２３２の厚みが低減するため、薄板２３２は好都合には外方に曲がることができる。薄板２３２の内面は、通路２１の圧力受けセクション２１５を形成する。
【００５２】
薄板２３２の各々の下に、スナップ留めフォーメーションとしてのスナップ留め舌状部２３３が軸方向に下方に延びる。各スナップ留め舌状部２３３は、スナップ留め舌状部２３３を２つの平行な部分に分割する軸方向のスリットを有する。各スナップ留め舌状部２３３の外面から、突起２３３１が横方向に延びる。
【００５３】
拡張部２３はＰＥＥＫから作製される。基部２２はチタンから作製され、下側の根尖側円筒２２１と、中間フランジ部分２２２と、上側の咬合側円筒２２３とを備える。咬合側円筒２２３は、スナップ留め舌状部２３３に対応して位置するスナップ留めフォーメーションとして４つのスナップ留め凹部２２４を有する。これによって、スナップ留め凹部２２４は、拡張部２３が上部から基部２２上に押されるときに、スナップ留め舌状部２３３を受けるように形成される。特に、各スナップ留め舌状部２３３の２つの平行な部分は、これらがそれぞれのスナップ留め凹部２２４内に配置されるまで、互いに向かって弾性的に動かされる。そこでこれらは初期位置に戻るように動かされ、これによって基部２２および拡張部２３が堅く連結される。
【００５４】
図２において、ねじ部品３が支柱体２の通路２１内に配置されたアバットメント装置１が示される。ねじ部品３は、頭部セクション３１を軸方向に通る、上側の円錐形状拡大セクション３３と、ねじ部品３の根尖側端部付近の、下側のねじ山セクション３２とを含む。拡大セクション３３は、軸方向に下方に先細になっている。拡大セクション３３は、その上端または咬合側端部において、ねじ回しを収容するためのドライバ凹部３３１を含む。拡大セクション３３と同様に、頭部セクション３１の下側部分は、軸方向に下方に先細になっている円錐形状のプッシュ部分３１１を形成する。
【００５５】
ねじ部品３は、支柱体２の通路２１に完全に押し込まれる。これによって、プッシュ部分３１１の外面は、通路２１のプレスセクション２１４に当接する。同様に、拡大セクション３３の外面は、通路２１の圧力受けセクション２１５に当接し、これによって、横方向または径方向の力Ｆ１が拡張部２３の薄板２３２上に作用する。これによって、薄板２３２は、切り欠き２３２２を中心に外方に曲がり、これによって拡張部２３の外径２３４’が増大する。拡張部２３は拡張状態にある。
【００５６】
図３は、図１および図２のアバットメント装置１と、歯科用修復物としてのクラウン４とを含む歯科用修復物アセンブリ６の実施形態を示す。クラウン４は、空洞４１を有するセラミッククラウン本体４２を有する。この空洞４１は、下方向に完全に開いており、上方に延びる軸方向のねじアクセスチャネル４１２を有する。空洞４１は、クラウン本体４２における凹型セクションを形成する印象４１１を更に有する。
【００５７】
歯科用修復物アセンブリ６のアバットメント装置１の支柱体２が歯科用インプラント５上に配置される。インプラント５の上端が咬合側端面５１を形成する。インプラント５は、下側ねじ凹部５３内まで通る上側アバットメント凹部５２を更に有する。支柱体２は、基部２２の根尖側円筒２２１がアバットメント凹部５２内に収まるようにアバットメント凹部５２内に位置決めされる。これによって、アバットメント凹部５２は、支柱体２がインプラント５に対し回転することができないように、根尖側円筒２２１の外面に合致するような形状にされる。基部２２のフランジ部分２２２は、インプラント５の咬合側端面５１に当接する。
【００５８】
図３の断面図において見てとることができるように、拡張部２３の薄板２３２は、内側方向にわずかに曲がる。このようにして、隆起２３２１は、支柱体２の残りの部分の上に横方向に突出しない。横方向の力が加えられないため、拡張部２３の外径２３４は増大されず、拡張部２３は非拡張状態にある。突起２３３１は、横方向または径方向において支柱体２の残りの部分の上にわずかに延びる。
【００５９】
図３、図４、図５および図６に示すように、本発明による方法の実施形態においてクラウン４をインプラント５に連結するために、支柱体２が、またはより厳密にはフランジ部分２２２の上方の支柱体２の一部分がクラウンの空洞４１内に組み付けられる。図３に見てとることができるように、支柱体２は、インプラント５上にセットされる。次に、図４に見てとることができるように、拡張部２３が空洞４１内に軸方向に挿入されるように、クラウン４が支柱体２上にシフトされる。これによって、空洞４１は、拡張部２３がスナップ留め舌状部２３３の突起２３３１まで空洞４１に容易に入ることができるような寸法にされる。
【００６０】
図５に見てとることができるように、クラウン４は、クラウン本体４２がフランジ部分２２２に当接するまで支柱体２上に更に押される。これによって、突起２３３１は内側に押され、これによって拡張部２３がわずかに変形する。このため、ＰＥＥＫ材料の弾性に起因して、クラウン４は支柱体２上に締め付けられ、取り外し可能に保持される。
【００６１】
図６に見てとることができるように、次に、ねじ部品３が、クラウン４のねじアクセスチャネル４１２を介して上から下に支柱体２の通路２１内に入る。図７に示されるように、ねじ部品３のねじ山セクション３２は、次に、ねじ部品３をインプラント５に固定するためにインプラント５のねじ凹部５３内にねじ込まれる。特に、外側ねじ山セクション３２のねじ山は、ねじ凹部５３の内側ねじ山に係合する。これによって、ねじ部分３の頭部セクション３１のプッシュ部分３１１が支柱体２の通路２１のプレスセクション２１４に当接し、これによって支柱体２が押され、インプラント５に固定される。
【００６２】
その間、ねじ部品３の拡張セクション３３は、通路２１および拡張部２３の圧力受けセクション２１５上への横方向成分Ｆ１を有する力を与える。このようにして、拡張部２３の外径２３４’が増大し、薄板２３２の隆起２３２１がクラウン４の空洞４１の印象４１１内に動かされる。このため、クラウン４は、支柱体２に固定して連結され、インプラント５に間接的に連結される。材料がねじアクセスチャネル４１２内に蓄積され得るのを防ぐために、クラウン４のねじアクセスチャネル４１２は、例えばプラグによって閉じられる。
【００６３】
本発明の態様および実施形態を示すこの明細書および添付の図面は、保護される本発明を規定する特許請求の範囲を限定するものとみなされるべきでない。換言すれば、本発明は、図面および上記の説明において例示され、詳細に説明されてきたが、そのような例示および説明は、限定ではなく、例示的または代表的なものとみなされるべきである。本明細書および特許請求の範囲の趣旨および範囲から逸脱することなく、様々な機械的、組成的、構造的、電気的および動作的変更を行うことができる。いくつかの例では、本発明を不明瞭にしないために、既知の回路、構造および技法が詳細に説明されていない。このため、以下の特許請求の範囲の適用範囲および趣旨内で、当業者によって変更および修正を行うことができることが理解されよう。特に、本発明は、上記および下記で説明される異なる実施形態からの特徴の任意の組み合わせを用いた更なる実施形態を包含する。
【００６４】
本開示はまた、図における全ての更なる特徴を、これらが上記または下記の説明において記載されていない場合があっても、個々に包含する。また、図および説明に記載されている実施形態の個々の代替形態ならびにその特徴の個々の代替形態を、本発明の主題からまたは開示した主題から除外することができる。本開示は、特許請求の範囲および例示的な実施形態に規定されている特徴からなる主題とともに、これらの特徴を含む主題も含む。
【００６５】
更に、特許請求の範囲において、「備える、有する、含む（ｃｏｍｐｒｉｓｉｎｇ）」という用語は、他の要素またはステップを排除せず、「１つの（ａ、ａｎ）」という不定冠詞は、複数を排除しない。特許請求の範囲において言及されているいくつかの特徴の機能を、単一のユニットまたはステップによって実現することができる。単に或る手段が相互に異なる従属項において挙げられていることだけでは、これらの手段の組み合わせを有利に用いることができないことを示すものではない。特に、属性または値と関連して、「実質的に」、「約」、「およそ」等の用語は、それぞれ、厳密にこの属性または厳密にこの値もまた定義する。所与の数値または範囲と関連して、「約」という用語は、所与の値または範囲の例えば２０％以内、１０％以内、５％以内または２％以内にある値または範囲を指す。接続または連結していると説明された構成要素は、電気的もしくは機械的に直接接続されてもよく、または１つもしくは複数の中間構成要素を介して間接的に接続されてもよい。特許請求の範囲における任意の参照符号は、請求項の範囲を限定するものとして理解されるべきではない。
【図１】
2019529047.tif 000003
【図２】
2019529047.tif 000004
【図３】
2019529047.tif 000005
【図４】
2019529047.tif 000006
【図５】
2019529047.tif 000007
【図６】
2019529047.tif 000008
【図７】
2019529047.tif 000009
【国際調査報告】
2019529047.tif 000010
2019529047.tif 000011
2019529047.tif 000012
2019529047.tif 000013
2019529047.tif 000014